(57)【要約】【課題】簡単な構造でありながら階調表示を可能にする。【解決手段】本発明に係る電気泳動表示装置は、面積が異なる複数の第一駆動電極４と、それらの第一駆動電極４に隣接するように配置した第二駆動電極５とを有している。これらの駆動電極４，５の間に所定極性の電圧を印加すると、帯電粒子３は第一駆動電極４を覆うように移動するが、面積の大きい第一駆動電極４では広い範囲に帯電粒子３が集まり、面積の小さい第一駆動電極４では狭い範囲に帯電粒子３が集まる。このように構成することにより、帯電粒子３が集まる面積範囲（各第一駆動電極に関する範囲ではなく１つの画素全体での面積範囲）は印加電圧によって正確に制御することができる。本発明は、そのような現象を利用して階調表示を行うものである。【選択図】　　　図１
2004012830.tif 000002
【特許請求の範囲】
【請求項１】
所定間隙を開けた状態に配置された一対の基板と、該間隙に充填された液体と、該液体中に分散された複数の帯電粒子と、いずれか一方の基板に沿うように配置された第一駆動電極及び第二駆動電極と、を備え、これらの第一駆動電極と第二駆動電極との間に電圧を印加することに基づき前記帯電粒子を移動させて表示を行う電気泳動表示装置において、
前記第一駆動電極は、少なくとも、
電圧が印加された場合に、前記複数の帯電粒子を比較的広い面積範囲に集める電極と、
電圧が印加された場合に、前記複数の帯電粒子を比較的狭い面積範囲に集める電極と、
からなり、かつ、
前記複数の帯電粒子が配置される面積を電圧に応じて緩やかに変化させることに基づき階調表示を行う、
ことを特徴とする電気泳動表示装置。
【請求項２】
前記複数の帯電粒子を比較的広い面積範囲に集める電極と、前記複数の帯電粒子を比較的狭い面積範囲に集める電極とは、平面形状を異ならせることにより実現される、
ことを特徴とする請求項１に記載の電気泳動表示装置。
【請求項３】
前記複数の帯電粒子を比較的広い面積範囲に集める電極と、前記複数の帯電粒子を比較的狭い面積範囲に集める電極とは、断面形状を異ならせることにより実現される、
ことを特徴とする請求項１に記載の電気泳動表示装置。
【請求項４】
前記複数の帯電粒子を比較的広い面積範囲に集める電極と、前記複数の帯電粒子を比較的狭い面積範囲に集める電極とは、前記液体との間の距離を異ならせることにより実現される、
ことを特徴とする請求項１に記載の電気泳動表示装置。
【請求項５】
前記複数の帯電粒子を比較的広い面積範囲に集める電極と、前記複数の帯電粒子を比較的狭い面積範囲に集める電極とは、各画素にそれぞれ配置された、
ことを特徴とする請求項１乃至４のいずれか１項に記載の電気泳動表示装置。
【請求項６】
前記複数の帯電粒子を比較的広い面積範囲に集める電極は画素中央部に配置され、
前記複数の帯電粒子を比較的狭い面積範囲に集める電極は画素周縁部に配置された、
ことを特徴とする請求項５に記載の電気泳動表示装置。
【請求項７】
前記第一駆動電極及び前記第二駆動電極は、表面が平坦、凹状、或いは凸状である、
ことを特徴とする請求項１乃至６のいずれか１項に記載の電気泳動表示装置。
【請求項８】
前記第一駆動電極及び前記第二駆動電極はストライプ状である、
ことを特徴とする請求項１乃至７のいずれか１項に記載の電気泳動表示装置。
【請求項９】
前記第二駆動電極は、前記第一駆動電極に隣接して配置された、
ことを特徴とする請求項１乃至８のいずれか１項に記載の電気泳動表示装置。
【請求項１０】
前記第二駆動電極は各画素に１つずつ配置された、
ことを特徴とする請求項１乃至９のいずれか１項に記載の電気泳動表示装置。
【請求項１１】
前記第二駆動電極は、全ての画素で電気的に接続された、ことを特徴とする請求項１乃至９のいずれか１項に記載の電気泳動表示装置。
【発明の詳細な説明】
【０００１】
【発明の属する技術分野】
本発明は、帯電粒子を移動させて表示を行う電気泳動表示装置に関する。
【０００２】
【従来の技術】
動画表示や頻繁な書き換えなどが要求されない限り、ハードコピー表示はディスプレイ表示と異なる様々な利点を有するものの、紙を大量に消費するという欠点がある。
【０００３】
そこで、近年、書き換えが可能なリライタブル記録媒体（以下、“ペーパーライクディスプレイ”とする）の開発が盛んに進められている。このリライタブル記録媒体は、視認性の高い画像の記録・消去サイクルが多数回可能であり、表示の保持にエネルギーを必要としないという特徴を有している。このペーパーライクディスプレイの必要条件は、
・　書き換え可能であること、
・　表示の保持にエネルギーを要さないか若しくは十分に小さいこと（メモリー性）、
・　携帯性に優れること、
・　表示品位が優れていること、
などである。
【０００４】
現在、ペーパーライクディスプレイとみなせる表示方式としては、例えば、サーマルプリンターヘッドで記録・消去する有機低分子・高分子樹脂マトリックス系（例えば、特開昭５５−１５４１９８号公報参照、特開昭５７−８２０８６号公報参照）を用いた可逆表示媒体を挙げることができる。因みに、この系は一部プリペイドカードの表示部分として利用されているが、コントラストが余り高くないことや、記録・消去の繰り返し回数が１５０〜５００回程度と比較的少ないなどの課題を有している。
【０００５】
また、Ｈａｒｏｌｄ　Ｄ．　Ｌｅｅｓ等により発明された電気泳動表示装置（米国特許ＵＳＰ３６１２７５８公報）が知られている。他にも、特開平９−１８５０８７号公報に電気泳動表示装置が開示されている。
【０００６】
この表示装置は、絶縁性液体中に着色帯電泳動粒子を分散させてなる分散系と、この分散系を挟んで対峙する一対の電極からなっている。電極を介して分散系に電圧を印加することにより、着色帯電泳動粒子の電気泳動性を利用して、該着色帯電泳動粒子を粒子自身が持つ電荷と反対極性の電極側にクーロン力により吸着させるものである。表示はこの着色帯電泳動粒子の色と染色された絶縁性液体の色の違いを利用して行われる。つまり、着色帯電泳動粒子が観測者に近い光透過性の第１の電極表面に吸着させた場合には着色帯電泳動粒子の色が観察され、逆に観測者から遠い第２の電極表面に吸着させた場合には、着色帯電泳動粒子と光学的特性が異なるように染色された絶縁性液体の色が観察される。
【０００７】
しかしながら、このような電気泳動装置では、染色された絶縁性液体中に着色帯電泳動粒子を分散させてなる分散系において、中間色を表示するには、着色帯電泳動粒子を絶縁性液体の所望の位置で停止・保持せねばならず駆動方法が複雑になる場合がある。さらに、印加される電界に対して着色帯電泳動粒子の泳動は明確な閾値を持たないため、選択的に粒子を泳動・吸着させるのも困難な場合がある。その為、電気泳動方式を利用した表示装置は中間色の表示が不安定になる問題がある。
【０００８】
かかる問題を解決するものとして、一絵素が複数の微小絵素片で構成され、絵素片の組み合わせにより階調を表現（面積階調）する方法が特開昭５０−０５１６９５号公報で提案されている。この方法によれば、複数の微小絵素片のうちいくつかを選択的に駆動することで安定した中間色の表示が可能となる。
【０００９】
【発明が解決しようとする課題】
しかしながら、特開昭５０−０５１６９５号公報に記載の電気泳動表示装置では微小絵素片を選択的に駆動する駆動装置および駆動方法が必要となり駆動装置が複雑になる。
【００１０】
そこで、本発明は、比較的簡単な構造でありながら階調表示を可能とする電気泳動表示装置を提供することを目的とするものである。
【００１１】
【課題を解決するための手段】
本発明は上記事情を考慮してなされたものであり、所定間隙を開けた状態に配置された一対の基板と、該間隙に充填された液体と、該液体中に分散された複数の帯電粒子と、いずれか一方の基板に沿うように配置された第一駆動電極及び第二駆動電極と、を備え、これらの第一駆動電極と第二駆動電極との間に電圧を印加することに基づき前記帯電粒子を移動させて表示を行う電気泳動表示装置において、
前記第一駆動電極は、少なくとも、
電圧が印加された場合に、前記複数の帯電粒子を比較的広い面積範囲に集める電極と、
電圧が印加された場合に、前記複数の帯電粒子を比較的狭い面積範囲に集める電極と、
からなり、かつ、
前記複数の帯電粒子が配置される面積を電圧に応じて緩やかに変化させることに基づき階調表示を行う、ことを特徴とする。
【００１２】
【発明の実施の形態】
以下、図１乃至図９を参照して、本発明の実施の形態について説明する。
【００１３】
本実施の形態に係る電気泳動表示装置は、例えば図１に符号Ｄ１で示すように、所定間隙を開けた状態に配置された一対の基板１ａ，１ｂと、該間隙に充填された液体２と、該液体中に分散された複数の帯電粒子３と、いずれか一方の基板１ｂに沿うように配置された第一駆動電極４及び第二駆動電極５と、を備えており、これらの第一駆動電極４と第二駆動電極５との間に電圧を印加することに基づき前記帯電粒子３を移動させて表示を行うようになっている。つまり、
・　第一駆動電極４を覆うように帯電粒子３を移動させた場合には、主として該粒子の色が視認され、
・　第二駆動電極５を覆うように帯電粒子３を移動させた場合には、主として第一駆動電極４の色が視認される
ことを利用し、帯電粒子３の位置を画素毎に制御することによって画像表示を行うように構成されている。なお、図１は１つの画素に関しての断面図であって、電気泳動表示装置はこのような画素が複数連設されて構成され、前記第一駆動電極４及び第二駆動電極５は各画素に配置されることとなる。
【００１４】
ところで、本実施の形態では、第一駆動電極は、複数の種類（２種類、或いは３種類以上）の電極にて構成することとし、具体的には、少なくとも、
・　電圧が印加された場合に、前記複数の帯電粒子３を比較的広い面積範囲に集める電極（図２（ａ）の符号１４Ａ参照）と、
・　電圧が印加された場合に、前記複数の帯電粒子３を比較的狭い面積範囲に集める電極（図２（ａ）の符号１４Ｂ参照）と、
によって構成している。このような構成であるため、同図（ｂ）に示すように、前記複数の帯電粒子３が配置される面積（１つの画素における面積であって、以下、“帯電粒子占有面積”とする）を電圧に応じて緩やかに変化させることができ、その駆動電圧を調整することによって階調表示を行うことができる。
【００１５】
ここで、このような階調表示を可能にできる理由について、図２乃至図４に沿って詳述する。
【００１６】
一般的に、第一駆動電極及び第二駆動電極の両方が同じ基板に配置されているタイプ（水平移動型）の電気泳動表示装置の場合、第一駆動電極と第二駆動電極の境界部分に強い電界が発生し、その電極境界部分より離れるに従い急速に電界が弱くなるという特質がある。
【００１７】
ところで、“帯電粒子３が集められる面積範囲”を（上述のように複数種類とするのではなくて）図３（ａ）に示すように、全ての第一駆動電極２４につき等しくしたとすれば、帯電粒子占有面積の電圧変化は同図（ｂ）のようになり、
・　駆動電圧が小さい範囲（符号Ｖ１参照）では占有面積も微小であって駆動電圧を変えてもあまり変化せず、
・　駆動電圧が中間の範囲（符号Ｖ２参照）では、駆動電圧を大きくするに伴って占有面積が急激に変化し、
・　駆動電圧が大きい範囲（符号Ｖ３参照）では、占有面積は一定になる、
という傾向を示す（かかる電気泳動表示装置では、符号Ｖ２に示す範囲での占有面積の変化度合いが急激であるために階調表示が困難である）。なお、図中の符号２５は第二駆動電極を示す。
【００１８】
一方、図４（ａ）に示すように、“帯電粒子３が集められる面積範囲”を図３（ａ）よりも大きくしたとすれば、帯電粒子占有面積の電圧変化は同図（ｂ）のようになる（かかる場合も、符号Ｖ２に示す範囲での占有面積の変化度合いが急激であるために階調表示が困難である）。図中の符号３４は第一駆動電極を示し、符号３５は第二駆動電極を示す。
【００１９】
しかし、本実施の形態では、図２（ａ）に示すように、
・　電圧が印加された場合に、前記複数の帯電粒子３を比較的広い面積範囲に集める電極（符号１４Ａ参照）と、
・　電圧が印加された場合に、前記複数の帯電粒子３を比較的狭い面積範囲に集める電極（符号１４Ｂ参照）と、
を混在させているため、帯電粒子占有面積の電圧変化は同図（ｂ）のように緩やかとなり、階調表示が可能となる。
【００２０】
なお、上述のように複数種類の第一駆動電極（つまり、前記複数の帯電粒子３を比較的広い面積範囲に集める電極、及び、前記複数の帯電粒子３を比較的狭い面積範囲に集める電極）を実現する方法としては、
・　平面形状の異なる２種以上の電極にて構成する方法（詳細は次述）や、
・　断面形状の異なる２種以上の電極にて構成する方法や、
・　前記液体２に対する配置位置（つまり、第一駆動電極と前記液体との間の距離）を異ならせる方法（詳細は後述）、
を挙げることができる。
【００２１】
図５は、駆動電極の平面形状を３種類（符号４４Ａで示す円形、符号４４Ｂで示す六角形、符号４４Ｃで示す三角形）として規則的に配置した例を示す図である。これら３種類の駆動電極４４Ａ，４４Ｂ，４４Ｃを１つずつ画素に配置する（つまり、前記複数の帯電粒子を比較的広い面積範囲に集める電極と、前記複数の帯電粒子を比較的狭い面積範囲に集める電極を、各画素にそれぞれ配置する）ことで階調表現が容易になり、かつそれらを規則的に配置することで一画素領域内の表示ムラを防ぎ、所望の表示が可能となる。なお、符号４５は第二駆動電極を示す。また、図６（ａ）は、駆動電極の平面形状面積を２種類（符合４Ａで示す大きな円形と、符合４Ｂ，…で示す小さな円形）として規則的に配置した例を示す図であり、各電極４Ａ，４Ｂ，４Ｃ，４Ｄ，４Ｅ，４Ｆ，４Ｇが帯電粒子３を集めることのできる面積は、同図（ｂ）にて破線で区切るものとなる。なお、同図に示すように、
・　複数の帯電粒子３を比較的広い面積範囲に集める電極４Ａを画素中央部に配置し、
・　複数の帯電粒子３を比較的狭い面積範囲に集める電極４Ｂ，…を画素周縁部に配置した場合には、隣接される他の画素への電界の影響を低減できるので好ましい。
【００２２】
一方、前記液体２に対する配置位置（つまり、第一駆動電極と前記液体との間の距離）を異ならせる方法としては、図８や図９に示すものを挙げることができる。すなわち、図８の符号６４Ａ，６４Ｂ，６４Ｃに示すように、第一駆動電極の間で液体２に対する配置位置を異ならせた場合、液体２に比較的近い位置に配置された電極６４Ａは、他の電極６４Ｂ，６４Ｃに比べ、帯電粒子３を比較的広い面積範囲に集めることができる。図９の場合も同様であって、７４Ａ，７４Ｂ，７４Ｃに示すように、第一駆動電極の間で液体２に対する配置位置を異ならせた場合、液体２に比較的近い位置に配置された電極７４Ａは、他の電極７４Ｂ，７４Ｃに比べ、帯電粒子３を比較的広い面積範囲に集めることができる。
【００２３】
第一駆動電極の平面形状は、円形や三角形や六角形以外の形状（例えば、楕円形や、四角形や、その他の多角形や、ストライプ状）としても良い。また、第二駆動電極５は、第一駆動電極４に隣接するように配置されていれば足り、その平面形状はどのようなものであっても良い。例えば、第一駆動電極をストライプ状とした場合には、第二駆動電極もストライプ状にすると良い。第一駆動電極及び第二駆動電極の両方をストライプ状とした場合には、図７に符号５４Ａ，５４Ｂ，５４Ｃ，５５で示すように交互に配置すると良い。この場合、第一駆動電極５４の幅と第二駆動電極５５の幅とは等しくなくても、一方が他方に比べて幅広になるようにすると良い。各駆動電極幅と駆動電極配置の関係はランダムでも良いが規則的な周期性を持つことは好ましい構成の一つである。図７に示す例では画素中央に駆動電極幅の広い駆動電極５４Ａを配置し周辺に駆動電極幅を持つ駆動電極５４Ｂ，５４Ｃを配置し、周期的な電極配置とした。
【００２４】
なお、上述した複数種類の第一駆動電極は、各画素に配置しても良い。その場合、それらの駆動電極には同じ電圧を印加できるようにすると良い。
【００２５】
また、第一駆動電極や第二駆動電極の断面形状は、特に限定されるものでは無く、表面が平坦であっても、凹状であっても、凸状であっても、凹凸の両方があっても良い（図９参照）。
【００２６】
さらに、第二駆動電極は、各画素に１つずつ配置しても、全ての画素の第二駆動電極を電気的に接続して共通電極としても良い。
【００２７】
またさらに、前記第一駆動電極を第二駆動電極の配線層と電気的に結線しても良い。
【００２８】
一画素領域に含まれる第一駆動電極を３結線する配線を第二駆動電極５の第一基板側に配置することは好ましい結線方法の１つである（図１、８、９）。配線６を第二駆動電極５の第一基板側で行うことで配線部による電界の影響を最小限にとどめることができる場合がある。
【００２９】
また、第一駆動電極に結線された配線層にスイッチング素子（図８及び図９の符号７参照）を接続しても良い。スイッチング素子を備えることでマトリックス状に配置された各画素を容易に駆動できるようになる。
【００３０】
一方、基板１ａ，１ｂには、ポリエチレンテレフタレート（ＰＥＴ）やポリエーテルサルフォン（ＰＥＳ）等のポリマーフィルム、或いはガラスや石英等の無機材料を使用すれば良い。また、電極４，５には、パターニング可能な導電性材料ならどのようなものでも使用できる。
【００３１】
上述した液体２には、シリコーンオイル、トルエン、キシレン、高純度石油等の無色透明液体を使用すると良い。さらに、帯電粒子３としては、液体２中で良好な帯電特性を示す材料を用いると良い。例えば、ポリエチレン、ポリスチレン等の樹脂を用いると良く、黒色に着色する場合にはそれらの樹脂にカーボンなどを混ぜると良い。帯電粒子の粒径には制限が無いが、通常は０．５μｍ〜１０μｍ位のものを使用すると良い。
【００３２】
駆動電極４，５を覆うように絶縁層を形成しても良く、絶縁層を形成した場合には、各電極から帯電粒子３への電荷注入を防止できる。このような絶縁層には、薄膜でもピンホールが形成されにくく、低誘電率の材料、具体的には、アモルファスフッ素樹脂、高透明ポリイミド、ＰＥＴ等を用いると良い。その膜厚は１μｍ程度以下が好適である。
【００３３】
なお、上述した電気泳動表示装置において、１つの画素は１００μｍ×１００μｍ程度のサイズが好ましく、帯電粒子３の粒径は３μｍ程度が好ましく、基板間隙は５０μｍ程度が好ましい。
【００３４】
次に、本実施の形態の効果について説明する。
【００３５】
本実施の形態によれば、簡単な構成の装置でありながら階調表示を行うことができる。
【００３６】
【実施例】
以下、実施例に沿って本発明を更に詳細に説明する。
【００３７】
（実施例１）
本実施例では、図１及び図６に示す構造の電気泳動表示装置を作製した。なお、基板１ａ，１ｂには、厚さ２００μｍのＰＥＴフィルムを用い、絶縁性液体２にはシリコーンオイルを用い、帯電泳動粒子３には、ポリスチレンとカーボンの混合物で、平均粒径５μｍ位のものを使用した。帯電泳動粒子３は、黒色で、絶縁性液体中では正極性を示した。また、画素形状は、図６に示すような正六角形形状とし、１辺の長さを８０μｍとした。そして、１つの画素には、円形の第一駆動電極４Ａ，…を図示のように７つ配置し、中央に配置した第一駆動電極３の直径は４０μｍとし、周辺に配置した第一駆動電極３の直径は２８μｍとした。また、各第一駆動電極４Ａ，…を囲むように第二駆動電極５を配置し、第一駆動電極４と第二駆動電極５との面積比は３：７とした。周辺に配置した第一駆動電極４は画素形状と同心とする１辺５５μｍの正六角形の頂点に配置した。
【００３８】
電気泳動表示装置の製造に際しては、まず、１枚の基板１ｂの表面に配線用のアルミ膜６を成膜し、その上に絶縁層として感光性樹脂を形成し所望の場所にコンタクトホールを形成した。この樹脂の表面にはアルミ膜を成膜し、フォトリソグラフィー及びウェットエッチングによりパターニングして第一、第二駆動電極４，５とした。そして、アルミナなどの白色顔料を分散させたアクリル樹脂からなる着色層を全面に形成し、第１駆動電極４上にだけ暗黒色の着色層を成膜した。さらに，その上から、絶縁層としてアクリル樹脂を形成した。その後、基板表面に熱融着性の接着層を形成し、絶縁性液体２や帯電泳動粒子３を挟み込むように基板１ａ，１ｂを貼り合わせた。
【００３９】
そして、第二駆動電極５を接地した状態で、第一駆動電極４には±４０Ｖの電圧を１００ｍｓｅｃの周期で印加したところ、良好な白および黒の表示が得られた。また、第一駆動電極４への駆動電圧を−３０Ｖ，−２０Ｖ，−１０Ｖ，０Ｖ，１０Ｖ，２０Ｖ，３０Ｖの順で変化させてみたところ、良好な階調表現が得られた。また、これらの電圧（すなわち、−３０Ｖ，−２０Ｖ，−１０Ｖ，０Ｖ，１０Ｖ，２０Ｖ，３０Ｖ）する前に、一旦−４０Ｖ若しくは＋４０Ｖの電圧を印加して表示状態を白若しくは黒にリセットするようにしたところ、階調表現の再現性が向上した。また隣接する画素で異なる表示を行った場合でもコントラストの変動は見られず，安定した表示コントラストを得られることを確認した。
【００４０】
（実施例２）
本実施例では、第一駆動電極及び第二駆動電極の配置を図７に示すようにした。なお、基板１ａ，１ｂには、厚さ２００μｍのＰＥＴフィルムを用い、絶縁性液体２にはシリコーンオイルを用い、帯電泳動粒子３には、ポリスチレンとカーボンの混合物で、平均粒径５μｍ位のものを使用した。帯電泳動粒子３は、黒色で、絶縁性液体中では正極性を示した。また、１つの画素の大きさは１００μｍ×１００μｍとし、第一駆動電極５４の幅は中央のものを１４μｍとし、他のものを８μｍとした。また、第二駆動電極５５の幅は画素中央部の２本は２５μｍとし、画素周縁部の２本は１０μｍとした。第一駆動電極４と第二駆動電極５との面積比は３：７とした。なお、この電気泳動表示装置の製造は実施例１と同様の方法で行った。
【００４１】
そして、第二駆動電極５５を接地した状態で、第一駆動電極５４には±４０Ｖの電圧を１００ｍｓｅｃの周期で印加したところ、良好な白および黒の表示が得られた。
【００４２】
また、第一駆動電極５４への駆動電圧を−３０Ｖ，−２０Ｖ，−１０Ｖ，０Ｖ，１０Ｖ，２０Ｖ，３０Ｖの順で変化させてみたところ、良好な階調表現が得られた。
【００４３】
さらに、これらの電圧（すなわち、−３０Ｖ，−２０Ｖ，−１０Ｖ，０Ｖ，１０Ｖ，２０Ｖ，３０Ｖ）する前に、一旦−４０Ｖ若しくは＋４０Ｖの電圧を印加して表示状態を白若しくは黒にリセットするようにしたところ、階調表現の再現性が向上した。また隣接する画素で異なる表示を行った場合でもコントラストの変動は見られず，安定した表示コントラストを得られることを確認した。
【００４４】
【発明の効果】
以上説明したように、本発明によると、簡単な構成の装置でありながら階調表示を行うことができる。
【図面の簡単な説明】
【図１】本発明に係る電気泳動表示装置の構造の一例を示す断面図。
【図２】本発明に係る電気泳動表示装置の構造の一例を示す図。
【図３】本発明の機能を説明するための図。
【図４】本発明の機能を説明するための図。
【図５】本発明に係る電気泳動表示装置の構造の一例を示す図。
【図６】本発明に係る電気泳動表示装置の構造の一例を示す図。
【図７】本発明に係る電気泳動表示装置の構造の一例を示す図。
【図８】本発明に係る電気泳動表示装置の構造の一例を示す断面図。
【図９】本発明に係る電気泳動表示装置の構造の一例を示す断面図。
【符号の説明】
１ａ，１ｂ　　基板
２　　　　　　絶縁性液体（液体）
３　　　　　　帯電泳動粒子（帯電粒子）
４Ａ，…　　　第一駆動電極
５　　　　　　第二駆動電極
１４Ａ，…　　第一駆動電極
１５　　　　　第二駆動電極
２４Ａ，…　　第一駆動電極
２５　　　　　第二駆動電極
３４Ａ，…　　第一駆動電極
３５　　　　　第二駆動電極
４４Ａ，…　　第一駆動電極
４５　　　　　第二駆動電極
５４Ａ，…　　第一駆動電極
５５　　　　　第二駆動電極
６４Ａ，…　　第一駆動電極
６５　　　　　第二駆動電極
Ｄ１　　　　　電気泳動表示装置
Ｄ２　　　　　電気泳動表示装置
Ｄ３　　　　　電気泳動表示装置
【図１】
2004012830.tif 000003
【図２】
2004012830.tif 000004
【図３】
2004012830.tif 000005
【図４】
2004012830.tif 000006
【図５】
2004012830.tif 000007
【図６】
2004012830.tif 000008
【図７】
2004012830.tif 000009
【図８】
2004012830.tif 000010
【図９】
2004012830.tif 000011